(57)【特許請求の範囲】
【請求項１】
グリル室に対して受け皿を出し入れ自在に配置し、グリル室の前面開口の略下半分を閉塞し得るグリル把手を受け皿の前端に設け、グリル室の前面開口の略上半分を閉塞し得るグリル扉を上下動自在に設けると共にグリル扉が下に移動したときグリル扉を収納する収納部をグリル把手と受け皿との間に設け、前端に上記グリル扉を装着した扉支持枠を受け皿に沿う矩形枠状に形成すると共に扉支持枠の後部の後枠部を受け皿に回動自在に支持し、受け皿の出し入れによって扉支持枠の両側の側枠部がグリル室の前面開口の両側の底部に摺動すると共にこの摺動による扉支持枠の回動にてグリル扉が上下するようにしたグリル装置において、扉支持枠の両側の側枠部間の間隔を受け皿の両側の側端間の幅より広くし、受け皿の後端部の上面に載置部を設けると共に扉支持枠の後端の後枠部を載置部に載置して後枠部を載置部に対して回動自在にし、グリル室内の両側部に扉支持枠の両側の側枠部が摺動自在となったレール部を設け、このレール部の前端部に受け皿の側端部に近接対向する受け皿ガイド突部を配設して成ることを特徴とするグリル装置。
【請求項２】
レール部の前端部の上部に受け皿ガイド突部を設けると共にレール部の前端部の受け皿ガイド突部の下方の隙間を側枠部が通過する側枠部通過用隙間とし、受け皿ガイド突部の前面部を下方程後方となるような傾斜面として成ることを特徴とする請求項１記載のグリル装置。
【請求項３】
受け皿を所定長さ手前に引き出した際に受け皿ガイド突部に当たるストッパ用当たり部を側枠部の後部に設けて成ることを特徴とする請求項１又は請求項２記載のグリル装置。
【発明の詳細な説明】
【０００１】
【発明の属する技術分野】
本発明はグリル装置に関し、詳しくは受け皿をグリル室から引き出したときグリル扉が下方に退避するようにしたグリル装置に関するものである。
【０００２】
【従来の技術】
従来、この種のグリル装置としては本特許出願人が先に出願した特開平７−２２２６８４号公報等に開示されるものがある。これはグリル室に対して受け皿を出し入れ自在に配置し、グリル室の前面開口の略下半分を閉塞し得るグリル把手を受け皿の前端に設け、グリル室の前面開口の略上半分を閉塞し得るグリル扉を上下動自在に設けると共にグリル扉が下に移動したときグリル扉を収納する収納部をグリル把手と受け皿との間に設け、前端に上記グリル扉を装着した扉支持枠を受け皿に沿う矩形枠状に形成すると共に扉支持枠の後部の後枠部を受け皿に回動自在に支持し、受け皿の出し入れによって扉支持枠の両側の側枠部がグリル室の前面開口の両側の底部に摺動すると共にこの摺動による扉支持枠の回動にてグリル扉が上下するようにしていた。つまり、グリル室内に受け皿を押し込んだ状態ではグリル扉でグリル室の前面開口の上半分が閉塞されているが、グリル把手を引っ張ってグリル把手と一緒に受け皿を引き出したとき、扉支持枠も一緒に引き出されて扉支持枠の両側の側枠部が前面開口の底部に対して摺動することで扉支持枠が自重で下方に回動し、グリル扉が下方の収納部に収まる。このよう受け皿を引き出したときグリル扉が下方に下がって退避するために受け皿にセットした焼き網に魚のような調理物を載せたり、調理物をひっくり返したり、調理物を取り出したりするとき高温に加熱されるグリル蓋に手を触れることがなく、火傷をしたりする危険性を防止できるようになっている。
【０００３】
ところが、上記のような従来例の場合、図１０に示すように扉支持枠１の両側の側枠部１ａの間隔Ｗ１より受け皿２の両側の側端間の間隔Ｗ２が広くて受け皿２の両側の側部フランジ２ａの下に側枠部１ａが挿通される構造になっている。このため、受け皿２やグリル扉５と一緒に扉支持枠１をグリル室から抜き取って掃除等をする場合、受け皿２に対してグリル扉５と一緒に扉支持枠１を外すときの外し方がわかりにくく取り扱いしにくいという問題がある。つまり、扉支持枠１の後枠部が受け皿の後部に回動自在に支持してあり、扉支持枠１の両側の側枠部１ａがフランジ２ａの下に通してあり、扉支持枠１を上に抜いたり、下に抜いたりするという簡単な操作だけでは受け皿２と扉支持枠１とを分解できず、取り扱い性が悪いという問題があった。
【０００４】
そこで、本発明者は、本発明に至る過程で上記の問題点である受け皿２と扉支持枠１との分解を容易にし、取り扱い性を良くするために、図１１に示すように扉支持枠１の両側の側枠部１ａ間の間隔Ｗ１を受け皿２の両側の側端間の間隔Ｗ２より広くすることを考えた。
【０００５】
ところが、図１１に示すものにおいては、扉支持枠１の側枠部１ａが摺動自在となったレール部１２の内部の側面から受け皿２の側端部まで間の隙間Ｌが大きく（例えば、側枠部１ａをφ５ｍｍとした場合、側枠部１ａとレール部１２の側面との間の隙間を１ｍｍ、側枠部１ａと受け皿の側端部との隙間を１ｍｍとするとレール部の側面から受け皿の側端部まで間の隙間は７ｍｍとなる）、この大きな隙間Ｌ（上記例の場合７ｍｍ）の分だけグリル室３の入口付近において受け皿２が左右に大きくぶれるという問題が新たに発生することが判明した。
【０００６】
【発明が解決しようとする課題】
本発明は上記の点に鑑みて発明したものであり、受け皿とグリル扉を有する扉支持枠とを容易に分解できて掃除等が容易にでき、しかも、グリル把手を手に持って前後方向に摺動するに当たり、受け皿の左右方向のぶれをわずかとして摺動をなめらかにでき、また、グリル把手を設けた受け皿と、グリル扉を有する扉支持枠とをセットした状態でレール部に簡単に挿入でき、また、受け皿を所定長さ手前に引き出した際に簡単な構成で受け皿のそれ以上の引き出しをストップできて安全性を高めることができるグリル装置を提供することを課題とするものである。
【０００７】
【課題を解決するための手段】
上記課題を解決するために本発明のグリル装置は、グリル室３に対して受け皿２を出し入れ自在に配置し、グリル室３の前面開口の略下半分を閉塞し得るグリル把手４を受け皿２の前端に設け、グリル室３の前面開口の略上半分を閉塞し得るグリル扉５を上下動自在に設けると共にグリル扉５が下に移動したときグリル扉５を収納する収納部７をグリル把手４と受け皿２との間に設け、前端に上記グリル扉５を装着した扉支持枠１を受け皿２に沿う矩形枠状に形成すると共に扉支持枠１の後部の後枠部１ｂを受け皿２に回動自在に支持し、受け皿２の出し入れによって扉支持枠１の両側の側枠部１ａがグリル室３の前面開口の両側の底部に摺動すると共にこの摺動による扉支持枠１の回動にてグリル扉５が上下するようにしたグリル装置において、扉支持枠１の両側の側枠部１ａ間の間隔を受け皿２の両側の側端間の幅より広くし、受け皿２の後端部の上面に載置部６を設けると共に扉支持枠１の後端の後枠部１ｂを載置部６に載置して後枠部１ｂを載置部６に対して回動自在にし、グリル室３内の両側部に扉支持枠１の両側の側枠部１ａが摺動自在となったレール部１２を設け、このレール部１２の前端部に受け皿２の側端部に近接対向する受け皿ガイド突部８を配設して成ることを特徴とするものである。このような構成とすることで、受け皿２をグリル室３に押し込んだ状態ではグリル扉５上に移動してグリル扉５でグリル室３の前面開口の略上半部が閉塞され、また、グリル把手４を引いて受け皿２を引き出したとき受け皿２と一緒にグリル扉５や扉支持枠１が引き出されるが、このとき扉支持枠１が後枠部１ｂを中心に回動してグリル扉５が下方に下がって収納部７に収納され、これにより受け皿２にセットする焼き網に調理物を載せたり、焼き網の上の調理物をひっくり返したり、焼き網から調理物を取り出したりするとき、手がグリル扉５に触れたりすることなく、火傷をしたりすることがない。また、受け皿２と一緒にグリル扉５や扉支持枠１を引き出してグリル室３から抜き取ったとき、扉支持枠１の両側の側枠部１ａも後部枠１ｂも受け皿２に対して上に抜くことができ、グリル扉５と一緒に扉支持枠１を上に移動させるだけで受け皿２に対して分解できて掃除等が容易にできる。そして、グリル室３内の両側部に扉支持枠１の両側の側枠部１ａが摺動自在となったレール部１２を設け、このレール部１２の前端部に受け皿２の側端部に近接対向する受け皿ガイド突部８を配設してあることで、上記のように、扉支持枠１の両側の側枠部１ａ間の間隔を受け皿２の両側の側端間の幅より広くしてグリル扉５と一緒に扉支持枠１を上に移動させるだけで受け皿２に対して分解できるようにしたにもかかわらず、扉支持枠１の側枠部１ａはレール部１２にガイドされて左右方向のぶれをできるだけ小さくしてスムーズに摺動するようにガイドできるとともに、受け皿ガイド突部８により受け皿２の左右方向のぶれをできるだけ小さくして摺動を滑らかにできる。
【０００８】
また、レール部１２の前端部の上部に受け皿ガイド突部８を設けると共にレール部１２の前端部の受け皿ガイド突部８の下方の隙間を側枠部１ａが通過する側枠部通過用隙間９とし、受け皿ガイド突部８の前面部を下方程後方となるような傾斜面１０とすることが好ましい。このような構成とすることで、グリル把手４を設けた受け皿２と、グリル扉５を有する扉支持枠１とをセットした状態で斜めに傾けて傾斜面１０に沿ってガイドされながら扉支持枠１の側枠部１ａを側枠部通過用隙間９に挿入してレール部１２に簡単に挿入できることになる。
【０００９】
また、受け皿２を所定長さ手前に引き出した際に受け皿ガイド突部８に当たるストッパ用当たり部１１を側枠部１ａの後部に設けることが好ましい。このような構成とすることで、受け皿２の左右方向のぶれを小さく抑制するための手段に受け皿２を所定長さ手前に引き出した際に受け皿２のそれ以上の引き出しをストップさせるためのストッパ手段の要素を兼用させることができるものである。
【００１０】
【発明の実施の形態】
以下、本発明を添付図面に示す実施形態に基づいて説明する。
【００１１】
添付図面に示す実施形態においてはグリル装置としてグリル付きテーブルコンロの例が示してある。図１乃至図４に示すように、テーブルコンロの中央には前面を開口せるグリル室３を設けてあり、グリル室３内はバーナにより加熱するようになっている。かかるグリル室３は上部にバーナを配置した片面焼きバーナであっても、上部と下部の両側にバーナを配置した両面焼きバーナであってもよい。また、グリル室３の下部両側に下部加熱用のバーナと上部加熱用のバーナを配置し、下部加熱用のバーナによりグリル室３内の下部に火炎を直接吹き出し、上部加熱用のバーナにより加熱した熱気をグリル室３の上部から下方に向けて吹き出すようにしたものであってもよい。
【００１２】
グリル室３の下部両側にはグリル室３内に向けて側方に開口するレール部１２を設けてある。レール部１２は例えば、図６に示すようなレール部材１８をグリル室３の下部両側に装着することで構成してある。レール部材１８は前後方向に長い縦片１８ａの上端から前後方向に長い上横片１８ｂを側方に突出した断面逆Ｌ字状をしており、縦片１８ａに係止片１８ｃを設けてこの係止片１８ｃをグリル室３の側部に形成した係止孔（図示せず）に挿入係止する（一部の係止片１８ｃは挿入して折り曲げ係止してもよい）ことでレール部材１８をグリル室３の側部に取付けるようになっている。レール部材１８をグリル室３の側部に取付けることでレール部１２が構成されるのであるが、この場合、上横片１８ｂとグリル室３の底部との間にレール用の隙間１２ａが形成されることになる。
【００１３】
レール部１２に設けられる上記レール用の隙間１２ａの前端部（つまりグリル室３の前面開口付近）内の上部には図４に示すように受け皿ガイド突部８を設けてある。添付図面に示す実施形態においてはレール部材１８の前端部にレール部材１８と一体に受け皿ガイド突部８を形成してあるが、レール部材１８と受け皿ガイド突部８とは別体であってもよい。また、レール部１２の前端部に設けた上記受け皿ガイド突部８の下方には隙間が形成されるが、この隙間が側枠部通過用隙間９としてある。更に、受け皿ガイド突部８の前面部を下方程後方となるような曲面状又は直面状をした傾斜面１０としてある。
【００１４】
図７に示すように、受け皿２は矩形皿状になっており、周縁に全周に亙るようにフランジ２ａを一体に設けてある。受け皿２は底面をグリル室３の底面に摺動自在に載置することで出し入れ自在になっている。受け皿２をグリル室３内に入れた状態では、受け皿２の両側端部がそれぞれ上記両側のレール部１２の前端部に設けた受け皿ガイド突部８の側面にごく僅かな隙間を介して近接対向するように設定してあり、実施例では受け皿２の両側端部と上記両側のレール部１２の前端部に設けた各受け皿ガイド突部８の側面との間にそれぞれ１ｍｍ程度のごく僅かな隙間が生じるように設定してある。そして、受け皿２の両側のフランジ２ａがグリル室３の前面開口付近の両側に設けられた上記受け皿ガイド突部８にガイドされて受け皿２が出入り自在になっている。ここで、レール部１２の内部の側面から受け皿２の側端部まで間の隙間Ｌ（図１に示す）が大きいが（隙間Ｌ寸法が例えば７ｍｍ程度）、受け皿ガイド突部８の側面と受け皿２の側端部とがごく僅かな隙間を介して近接対向するように設定してあるので、受け皿２の左右方向のぶれをごくわずかとして受け皿２の前後方向の摺動を滑らかに行えるようになっている。なお、本実施形態においては側枠部１ａをφ５ｍｍとし、側枠部１ａとレール部１２の側面との間の隙間を１ｍｍ、側枠部１ａと受け皿の側端部との隙間を１ｍｍとしているが、この数値は一例であり、必ずしもこれにのみ限定されるものではない。
【００１５】
受け皿２の前部には取り付け板１３を装着してあり、この取り付け板１３にグリル把手４を装着してある。このグリル把手４はグリル室３の前面開口の略下半分を覆う大きさに形成されている。このグリル把手４と受け皿２の前端との間には後述するグリル扉５を収納する収納部７を設けてある。また、受け皿２の後端部に位置するフランジ２ａは後述の扉支持枠１の後枠部１ｂを載置するための載置部６となっている。この載置部６には後端部の両側部に後当たり部用突部１９が上方に向けて突設してあり、また、載置部６の中央部の後当たり部用突部１９よりも少し前方にずれた位置に前当たり部用突部２０が突設してある。
【００１６】
扉支持枠１は受け皿２の外周に沿う矩形枠状に形成されており、図８に示すように前部にグリル室３の略上半分を覆うグリル扉５が装着されている。扉支持枠１の両側の側枠部１ａは平行になっており、両側の側枠部１ａの間隔Ｗ１は受け皿２の両側縁間の幅Ｗ２より広くなっている。つまり、側枠部１ａが受け皿２の両側のフランジ２ａの外側に位置している。扉支持枠１の後部の後枠部１ｂの中央部は両側部１ｂ1よりも後方に向けてコ字状に凸曲成した後方凸曲部１ｂ2となっている。そして、後枠部１ｂの両側部１ｂ1が受け皿２の後部の載置部６に前後に摺動自在且つ回動自在に載置してあり、扉支持枠１の後枠部１ｂが載置部６上で前後に摺動した際、両側部１ｂ1が後当たり部用突部１９に当たるとそれ以上後枠部１ｂが受け皿２に対して後方に移動するのが阻止され、また、後方凸曲部１ｂ2が前当たり部用突部２０に当たるとそれ以上後枠部１ｂが受け皿２に対して前方に移動するのが阻止されるようになっている。そして、コ字状をした後枠部１ｂが前当たり部用突部２０の外側に前後方向に摺動自在に被嵌されており、これにより後枠部１ｂと受け皿２の後端部とが左右方向に少ししかずれないようにしてある。
【００１７】
側部枠１ａは図８（ｂ）に示すように後半枠部１Ａａが水平で前半枠部１Ｂａが前方に行くほど下となるように下り傾斜しており、この前半枠部１Ｂａの前端部に当り部１Ｃａが設けてあって、この当り部１Ｃａが扉支持枠１の部位のうち最も下位に位置している。また、側枠部１ａの後半枠部１Ａａは後端部の後端部にはＶ字状に屈曲した下向き凹部２１を形成してあり、後枠部１ｂを載置部６に載置した状態で後半枠部１Ａａは下向き凹部２１を除いた部分が水平となり且つ後枠部１ｂと同じレベルとなるように設定してある。Ｖ字状に屈曲した下向き凹部２１の後半部の後傾斜部がストッパ用当たり部１１となっている。
【００１８】
そして、扉支持枠１の両側の側枠部１ａを受け皿２の両側のフランジ２ａの外側に位置すると共に後枠部１ｂを受け皿２の後部の載置部６に前後に摺動自在且つ回動自在に載置した状態で、受け皿２及び扉支持枠１をグリル室３の前面開口から内部に入れた場合、図１に示すように側枠部１ａと、後枠部１ｂの側部１ｂ1の端部とがレール部１２に摺動自在に嵌合することになる。
【００１９】
ここで、レール部１２内の上面（実施形態では上横片１８ｂ）と後枠部１ｂの両側部１ｂ1の端部の上面との間の隙間はできるだけ小さくして（つまり扉支持枠１の前後方向へのスライドに支障が生じないという条件を満たしながらできるだけ隙間を小さくして）あり、これにより載置部６上で後枠部１ｂの両側部１ｂ1を中心にして扉支持枠１を回動しながら前後方向にスライドする際に後枠部１ｂががたついたりしないようになっている。また、レール部１２内に扉支持枠１の側枠部１ａを前後方向に摺動自在に入れた場合、側枠部１ａがレール部１２の内部の側面にごく僅かな隙間を介して近接対向しており、そのごく僅かな隙間は例えば１ｍｍ程度であって、扉支持枠１が左右方向のがたつきを小さく抑制して円滑に前後方向に摺動できるようにしてある。
【００２０】
また、レール部１２内に扉支持枠１の側枠部１ａを前後方向に摺動自在に入れた状態で、レール部１２の前端部においては側枠部１ａが受け皿ガイド突部８の下方に形成された側枠部通過用隙間９に位置し、扉支持枠１がレール部１２内を前後に摺動する際、側枠部１ａは受け皿ガイド突部８の下方においては側枠部通過用隙間９を前後方向に通過していくものである。
【００２１】
グリル扉５はグリル室３の前面開口の略上半分を覆う大きさに形成してあり、扉支持枠１の側枠部１ａを受け皿２の両側フランジ２ａの外側に配置すると共に後枠部１ｂを受け皿２の後部の載置部６に摺動自在且つ回動自在に載置した状態でグリル室３の前面開口の略上半分を閉塞し得るように上下動自在となっている。
【００２２】
ここで、受け皿２がグリル室３内に押し込まれてグリル室３内に完全に収納された状態ではグリル把手４でグリル室３の前面開口の略下半分を閉塞すると共に、グリル扉５が上方に移動してグリル室３の前面開口の略上半分を閉塞することで、グリル把手４とグリル扉５とでグリル室３の前面開口を閉塞するようになっている。このグリル扉５とグリル把手４とでグリル室３の前面開口を閉塞した状態ではグリル扉５の下端がグリル把手４の上端に載り、この場合、図９（ａ）のように、後枠部１ｂが載置部６上を前方に移動した状態となっており、後方凸曲部１ｂ2が前当たり部用突部２０に当たるように設定してある。この状態で、当り部１Ｃａがレール部１２の底面の前端部に載置してある。
【００２３】
しかして、上記のようにグリル扉５とグリル把手４とでグリル室３の前面開口を閉じた状態で、グリル把手４を手前に引くと、当り部１Ｃａがレール部１２の底面の前端部に載置してあり、後方凸曲部１ｂ2が前当たり部用突部２０に当たる位置まで前方に移動しているので、まず焼き網を載せた受け皿２とグリル把手４のみが少し前方に引き出され、グリル把手４と受け皿２の前端との間に形成した収納部７がグリル扉５の下方位置まで移動する。この状態では、図９（ｂ）のように、後枠部１ｂの側部１ｂ1が後当たり部用突部１９に当たり、以後、グリル把手４を更に手前に引くと、後枠部１ｂの側部１ｂ1が後当たり部用突部１９により押され、グリル把手４を装着した受け皿２と一緒に扉支持枠１を介してグリル扉５が前方に引き出されるものである。ここで、扉支持枠１は当り部１Ｃａが前方に引き出されるので、これに続いた傾斜した前半枠部１Ｂａがレール部１２の底面の前端部に当りながら、引き出されることになり、載置部６に載置した後枠部１ｂを中心に扉支持枠１が回動し、これによりグリル把手４よりも後側にずれて位置しているグリル扉５がグリル把手４と受け皿２の前端との間に形成した収納部７内に下降していって収納されるものである。そして、受け皿２を所定長さ手前に引き出すと、図３に示すように、受け皿ガイド突部８の後面部にストッパ用当たり部１１である側枠部１ａの後端部の下向き凹部２１の後半部の後傾斜部が当たり、受け皿２が引き出されないようになっている。したがって、受け皿２の左右方向のぶれを小さく抑制するための受け皿ガイド突部８が受け皿２を所定長さ手前に引き出した際に受け皿２のそれ以上の引き出しをストップさせるためのストッパ手段の要素を兼用していることになる。
【００２４】
上記のように受け皿２を所定長さ引き出した際、受け皿２の引き出しに連動して収納部７内にグリル扉５が収納された状態となるので、受け皿２にセットした焼き網上の調理物の裏返し作業や調理物の取り出し作業等をグリル扉５に邪魔されることなく容易に行うことができるものである。また、調理時に熱くなったグリル扉５が収納部７内に収納されることで、グリル扉５に手や腕が触れることがなく、火傷をするようなことなく調理物の裏返しをしたり、取り出したりすることができる。
【００２５】
次に、調理物を裏返したりして調理を継続する場合や、別の調理物を調理する場合や、調理終了後にはグリル把手４を持って受け皿２を押入れることで、上記と逆の動作が行われてグリル扉５が上昇移動してグリル扉５とグリル把手４とでグリル室３の前面開口を閉塞するものである。すなわち、グリル把手４を手に持って押していくと受け皿２が受け皿ガイド突部８にガイドされながらグリル室３内に押し込まれていくのであるが、この場合、収納部７内に収納されたグリル扉５が一緒に押されながら後退し、傾斜した前半枠部１Ｂａがレール部１２の底面の前端部に当りながら後退することで、グリル扉５は後退しながら上昇していくものである。そして、受け皿２が完全にグリル室３内に収納される少し手前でグリル扉５が収納部７から上方に移動し（この状態で当り部１Ｃａがレール部１２の底面の前端部に当る）、グリル扉５がグリル室３の前開口の略上半分を閉塞する。この段階でグリル扉５がグリル室３の前開口の縁部に当ってそれ以上押し込めないようになっている。このため以後グリル把手４を押してもグリル扉５は後退せず、受け皿２のみが後退し、完全に受け皿２を押し込んで収納した状態で、グリル把手４でグリル室３の前面開口略下半分を閉塞するものである。この閉塞状態では図２のようにグリル扉５の下端がグリル把手４の上端に載り、また、図９（ａ）のように後枠部１ｂが載置部６上を前方に移動した状態となっており、後方凸曲部１ｂ2が前当たり部用突部２０に当たることになる。
【００２６】
一方、グリル把手４を装着した受け皿２、焼き網、扉支持枠１に装着したグリル扉５等を掃除する場合にはグリル室３から外部に完全に引き出してから掃除するものである。この場合、前述のように、図３に示すように、グリル把手４を手に持って受け皿ガイド突部８の後面部にストッパ用当たり部１１である側枠部１ａの後端部の下向き凹部２１の後半部の後傾斜部が当たるまで引き出し、その後、グリル把手４を少し持ち上げて受け皿２が前ほど少し上となるように傾斜させて引き出すことで、側枠部１ａの後端部のＶ字状をした下向き凹部２１の後半部が受け皿ガイド突部８の下方の側枠部通過用隙間９を通過し、完全に外部に引き出すことができる。このようにして完全に引き出すと、グリル扉５が収納部７に収納した状態で、側枠部１ａが受け皿２の両側のフランジ２ａの外側に位置し、また、後枠部１ｂが載置部６に載置してあるだけなので、グリル扉５を上方に持ち上げるだけで、グリル把手４を装着した受け皿２から扉支持枠１と共にグリル扉５を取り外して分離することができ、扉支持枠１に装着したグリル扉５の取り外し分離が容易に行えるものである。
【００２７】
掃除終了後に再び組み合わせてグリル室３内に入れるには、グリル扉５を収納部７に収納すると共に扉支持枠１を受け皿２にセットし、このセット物を受け皿２の後端部が下となるように後向きに傾斜させた状態で、扉支持枠１の側枠部１ａの後端部を受け皿ガイド突部８の前面部の傾斜面１０に当てて押し込むことで、傾斜面１０にガイドされて側枠部１ａの後端部が受け皿ガイド突部８の下方に形成された側枠部通過用隙間９にスムーズに位置させることができ、この状態で更に少し押し込んで側枠部１ａの後端が受け皿ガイド突部８よりも後方に位置し且つＶ字状に屈曲した下向き凹部２１が側枠部通過用隙間９に位置した時点で受け皿２を水平としてグリル室３の底部に載置させる。この時、側枠部１ａの後半枠部１Ａａの下向き凹部２１のすぐ前の部分がグリル室３の前面開口部分の底部に当たって後半枠部１Ａａが傾斜した状態となる。したがって、この状態で押し込むと、側枠部１ａをスムーズにレール部１２内に入れることができるのであって、以後は前述と同様にして押し入れることができるものである。
【００２８】
ところで、前述のように、受け皿２を所定長さ手前に引き出した場合、受け皿ガイド突部８の後面部にストッパ用当たり部１１が当たって受け皿２のそれ以上の引き出しをストップさせるようになっているので、受け皿２をガイドする手段にストッパ手段の要素を兼用させることができて、簡単な構成で受け皿２を引き出した際に外部に不用意に脱落するのを防止して安全性を高めることができるものである。そして、本発明において、受け皿２の所定長以上の引き出し防止のためのストッパ手段は上記のような構成のみでもよく、あるいは、他にストッパ手段を設けて、２重ストッパ手段によってより安全性を高めるようにしてもよいものである。他に設けるストッパ手段としては、例えば、グリル室３内の底部の前開口付近に突起を設けて前ストッパ２３を設け、受け皿２の下面部の後部に突起を設けて後ストッパ２４とし、受け皿２を所定長さ引き出した際に、前述のように受け皿ガイド突部８の後面部にストッパ用当たり部１１が当たると共に、後ストッパ２４が前ストッパ２３に当たることで、２重ストッパ手段により受け皿２を引き出した際に外部に不用意に脱落するのを防止するのである。
【００２９】
【発明の効果】
上記のように本発明の請求項１記載の発明にあっては、扉支持枠の両側の側枠部間の間隔を受け皿の両側の側端間の幅より広くし、受け皿の後端部の上面に載置部を設けると共に扉支持枠の後端の後枠部を載置部に載置して後枠部を載置部に対して回動自在にしてあるので、グリル把手を引いて受け皿を引き出したとき受け皿と一緒にグリル扉や扉支持枠が引き出した際、扉支持枠を後枠部を中心に回動してグリル扉を下方に下げて収納部に収納することができ、この結果、受け皿の焼き網に調理物を載せたり、焼き網の上の調理物をひっくり返したり、焼き網から調理物を取り出したりするとき、手がグリル扉に触れたりすることなく、火傷をしたりするのを防止できるものであり、しかも、受け皿と一緒にグリル扉や扉支持枠を引き出してグリル室から完全に抜き取ったとき、扉支持枠の両側の側枠部も後部枠も受け皿に対して上に抜くことができ、グリル扉と一緒に扉支持枠を上に移動させるだけで受け皿に対して簡単に分解できて掃除等が容易にできるものであり、また、グリル室内の両側部に扉支持枠の両側の側枠部が摺動自在となったレール部を設け、このレール部の前端部に受け皿の側端部に近接対向する受け皿ガイド突部を配設してあるので、上記のように、扉支持枠の両側の側枠部間の間隔を受け皿の両側の側端間の幅より広くしてグリル扉と一緒に扉支持枠を上に移動させるだけで受け皿に対して分解できるようにしたにもかかわらず、扉支持枠の側枠部はレール部にガイドされて左右方向のぶれをできるだけ小さくしてスムーズに摺動するようにガイドできるとともに、受け皿ガイド突部により受け皿の左右方向のぶれをできるだけ小さくして摺動を滑らかにできて、操作性が良くなるものである。
【００３０】
また、請求項２記載の発明にあっては、上記請求項１記載の発明の効果に加えて、レール部の前端部の上部に受け皿ガイド突部を設けると共にレール部の前端部の受け皿ガイド突部の下方の隙間を側枠部が通過する側枠部通過用隙間とし、受け皿ガイド突部の前面部を下方程後方となるような傾斜面としてあるので、受け皿とグリル扉を有する扉支持枠とをセットした状態で斜めに傾けて傾斜面に沿ってガイドしながら扉支持枠の側枠部を側枠部通過用隙間に挿入して側枠部をスムーズにレール部内に入れることができるものである。
【００３１】
また、請求項３記載の発明にあっては、上記請求項１又は請求項２記載の発明の効果に加えて、受け皿を所定長さ手前に引き出した際に受け皿ガイド突部に当たるストッパ用当たり部を側枠部の後部に設けてあるので、受け皿の左右方向のぶれを小さく抑制するための手段に受け皿を所定長さ手前に引き出した際に受け皿のそれ以上の引き出しをストップさせるためのストッパ手段の要素を兼用させることができて、構造を簡素化することができるものである。
【図面の簡単な説明】
【図１】本発明の正面断面図である。
【図２】同上の側面断面図である。
【図３】同上の受け皿を所定長さ手前に引き出した状態の側面断面図である。
【図４】同上のグリル内の側部に設けたレール部の斜視図である。
【図５】同上のグリル把手を装着した受け皿に扉支持枠に装着したグリル扉を組み合わせた状態の側面図である。
【図６】同上に用いるレール部材を示し、（ａ）は平面図であり、（ｂ）は側面図であり、（ｃ）は正面図である。
【図７】同上のグリル把手を装着する前の受け皿を示し、（ａ）は平面図であり、（ｂ）は側面図であり、（ｃ）は正面図である。
【図８】同上のグリル扉を装着した扉支持枠を示し、（ａ）は平面図であり、（ｂ）は側面図であり、（ｃ）は正面図である。
【図９】（ａ）は同上の後枠部の後方凸曲部が前当たり部用突部に当たっている状態を示す平面図であり、（ｂ）は後枠部の側部が後当たり部用突部に当たっている状態を示す平面図である。
【図１０】従来例を示す概略図である。
【図１１】本発明に至る過程で考えた例の概略図である。
【符号の説明】
１  扉支持枠
１ａ  側枠部
１ｂ  後枠部
２  受け皿
３  グリル室
４  グリル把手
５  グリル扉
６  載置部
７  収納部
８  受け皿ガイド突部
９  側枠部通過用隙間
１０  傾斜面
１１  ストッパ用当たり部
１２  レール部
【図１】
0004047491.tif 000002
【図２】
0004047491.tif 000003
【図３】
0004047491.tif 000004
【図４】
0004047491.tif 000005
【図５】
0004047491.tif 000006
【図６】
0004047491.tif 000007
【図７】
0004047491.tif 000008
【図８】
0004047491.tif 000009
【図９】
0004047491.tif 000010
【図１０】
0004047491.tif 000011
【図１１】
0004047491.tif 000012